(57)【要約】この発明は、５００ｇ／ｍ２を上回る重さの床被覆材、特にカーペットを、床特に寄せ木張り、または階段に固定するための、自己接着フィルムに関する。前記フィルムはプラスチックフィルムからなる支持体を含み、これは床被覆材に面する上面と床または階段に面する下面とにおいて、感圧接着剤によりコーティングされる。前記フィルムは１５０ｍｍの最小幅を有し、床被覆材で覆う床または階段の大きな面積を覆うことができる。感圧接着剤は支持体の少なくとも下面に固定され、感圧接着剤は自己接着フィルムを剥離する際に支持体にとどまる。【特許請求の範囲】
【請求項１】
感圧接着フィルムであって、５００ｇ／ｍ２を上回る重さの床被覆材、特にカーペットを、床、特に寄せ木張りまたは階段に対し接着するためのものであり、前記感圧接着フィルムはプラスチックフィルムの支持体を有し、前記支持体は、床被覆材に面する上面と、床または階段に面する下面とにおいて、感圧接着コーティングによってコーティングされており、さらに前記感圧接着フィルムは、床被覆材で覆うべき床または階段の大きな面積を覆うために１５０ｍｍの最小幅を有しており、前記支持体は、少なくともその下面において感圧接着性接着剤を固定するよう構成され、これにより感圧接着コーティングは、感圧接着フィルムが剥離される際に支持体の下面にとどまる、感圧接着フィルム。
【請求項２】
上面の感圧接着コーティングは、感圧接着フィルムが剥離される際に支持体にとどまる、請求項１に記載の感圧接着フィルム。
【請求項３】
支持体の少なくとも下面はコロナ放電処理を受ける、請求項１または２のいずれかに記載の感圧接着フィルム。
【請求項４】
支持体の少なくとも下面には下塗りが与えられる、請求項１から３のいずれかに記載の感圧接着フィルム。
【請求項５】
支持体の少なくとも下面は同時押出し成形された粘着促進剤を有する、請求項１から４のいずれかに記載の感圧接着フィルム。
【請求項６】
接着剤固定表面は層として構成される、請求項１から５のいずれかに記載の感圧接着フィルム。
【請求項７】
支持体は接着剤固定材料からなる、請求項１から６のいずれかに記載の感圧接着フィルム。
【請求項８】
支持体は、添加剤および／または可塑剤の浸透を防ぐための遅延層として少なくとも１区域を有する、請求項１から７のいずれかに記載の感圧接着フィルム。
【請求項９】
遅延層は、本質的に感圧接着性接着剤固定表面である、請求項８に記載の感圧接着フィルム。
【請求項１０】
支持体の少なくとも下面は本質的に平らに構成される、請求項１から９のいずれかに記載の感圧接着フィルム。
【請求項１１】
少なくとも下面の感圧接着コーティングは本質的に平らに構成される、請求項１から１０のいずれかに記載の感圧接着フィルム。
【請求項１２】
下面の感圧接着コーティングの接着強さは上面の接着強さよりも小さい、請求項１から１１のいずれかに記載の感圧接着フィルム。
【請求項１３】
異なった接着強さを達成するために、２表面に対し異なった重さの接着剤が塗布され、より大きな接着強さの表面はより多くの接着剤を有する、請求項１２に記載の感圧接着フィルム。
【請求項１４】
少なくとも上面に塗布される接着剤の重さは５〜２５０ｇ／ｍ２の範囲であり、特に下面に塗布される接着剤の重さは５〜４０ｇ／ｍ２の範囲、特に８〜２０ｇ／ｍ２の範囲である、請求項１３に記載の感圧接着フィルム。
【請求項１５】
少なくとも上面にある感圧接着コーティングは、可塑剤に対し抵抗性がある感圧接着性接着剤からなる、請求項１から１４のいずれかに記載の感圧接着フィルム。
【請求項１６】
少なくとも下面にある感圧接着コーティングは、１以上のＧ′／Ｇ″比を有する感圧接着剤からなる、請求項１から１５のいずれかに記載の感圧接着フィルム。
【請求項１７】
感圧接着コーティングは、上面と下面とにある異なった感圧接着剤からなる、請求項１から１６のいずれかに記載の感圧接着フィルム。
【請求項１８】
少なくとも下面は、（ＤＩＮ１９３９に従い剥離力で測定して）０．５〜５Ｎ、特に１．５〜３Ｎ、特に２．０〜２．６Ｎのオーダの接着強さを有する、請求項１から１７のいずれかに記載の感圧接着フィルム。
【請求項１９】
支持体および感圧接着コーティングは、水蒸気に対し透過性があり、０．２〜１５ｍの範囲、特に０．５〜７ｍの範囲のｓｄ値を有する、請求項１から１８のいずれかに記載の感圧接着フィルム。
【請求項２０】
支持体および／または少なくとも１表面の感圧接着コーティングには穿孔が開けられ、前記穿孔は、好ましくは互いに対し１０ｃｍ未満の距離で表面全体にわたり配置され、４ｍｍ２未満の断面積を有する、請求項１９に記載の感圧接着フィルム。
【請求項２１】
支持体と、少なくとも１表面の感圧接着コーティングとにある穿孔は整列される、請求項２０に記載の感圧接着フィルム。
【請求項２２】
感圧接着フィルムは、少なくとも上面上に繊維構造を有する、請求項１から２１のいずれかに記載の感圧接着フィルム。
【請求項２３】
繊維構造は、粗いメッシュ構成にある糸を有する、請求項２２に記載の感圧接着フィルム。
【請求項２４】
繊維構造は、粗いメッシュ構成にある平行の糸と、ダイヤモンド形でかつ鈍角で配置された糸とを有する、請求項２３に記載の感圧接着フィルム。
【請求項２５】
繊維構造は、互いに対し３〜５０ｍｍの距離にある糸を有する、請求項２２から２４のいずれかに記載の感圧接着フィルム。
【請求項２６】
少なくとも上面には除去可能な被覆フィルムがある、請求項１から２５のいずれかに記載の感圧接着フィルム。
【請求項２７】
前記感圧接着フィルムの幅は１５０ｍｍから２０００ｍｍの範囲、特に５００ｍｍから１５００ｍｍ、特に６００ｍｍから１０００ｍｍの範囲であり、前記感圧接着フィルムの幅は、特に階段に用いる際には２４０ｍｍであり、床に用いる場合には少なくとも３５０ｍｍである、請求項１から２６のいずれかに記載の感圧接着フィルム。
【請求項２８】
支持体は、１０〜１００μｍの範囲、好ましくは２５〜７５μｍ、特に５０〜７０μｍの範囲の厚みを有する、請求項１から２７のいずれかに記載の感圧接着フィルム。
【請求項２９】
感圧接着フィルムはロールへと巻き取られる、請求項１から２８のいずれかに記載の感圧接着フィルム。
【発明の詳細な説明】
【０００１】
この発明は、床または階段に床被覆材を接着するための感圧接着フィルムに関する。
【０００２】
感圧接着テープまたはフィルムが既に一般に公知である。現在これらは、床上に床被覆材を接着するためにも提供されている。現在、床被覆材を階段に敷くには湿式接着剤または接着テープが通常用いられる。しかしこの結果として、床被覆材を階段から除去する際に接着剤の残留物が大量に残ることになる。
【０００３】
ドイツ特許出願第１９８　３５　９１９．５−４３号には、床被覆材を床に接着するための、プラスチックフィルムの支持体とその２表面上に感圧接着コーティングを有する感圧接着フィルムが開示されている。この感圧接着フィルムは最小限３５０ｍｍの幅を有し、床被覆材を敷く床の大きな面積を覆う。階段に対し、または近づくのが困難な空間的に制限された床の領域に対し、床被覆材を接着するための感圧接着フィルムの使用に関し製品をさらに最適化しようとしても、このような用途に対しては、ドイツ特許出願第１９８　３５　９１９．５−４３号による感圧接着フィルムの最小幅では、あらゆる状況下で可能な限り最善の処理可能性がもたらされるわけではないとわかった。
【０００４】
一般に従来の感圧接着テープまたはフィルムを用いる際には、支持体および／または感圧接着コーティングに用いる材料が原因で、時間の経過につれ、敷かれた感圧接着テープについてさまざまな変化が生じ、これがそれぞれの応用に対して影響を及ぼし得るという問題が存在する。たとえば、感圧接着剤または感圧接着剤の成分から、たとえば支持体を通ってマイグレーションが生じ得るが、このため接着剤の特性に変化が起こり、残留物を残さずにこれを除去することがもはや不可能となるおそれがあり、または床の色の変化などの変化が起こることもある。さらに、支持体の上面および下面をコーティングするのに異なった感圧接着性接着剤を用いる場合には、感圧接着コーティングに用いた感圧接着性接着剤が混ざり合うおそれがあることが知られている。異なった２つの感圧接着性接着剤を用いると、時間の経過につれこれら感圧接着性接着剤の混合が起こり、その結果、対応する感圧接着テープまたはフィルムの接着特性および／または剥離性が、対応して望ましくない態様で変化させられる。
【０００５】
さらに、従来の感圧接着テープまたはフィルムを用いた場合、感圧接着テープを床および／または床被覆材から取除く際、その各々の場合に支持体よりも床または床被覆材に対して感圧接着コーティングがより強く付着するという問題が一般に存在する。少なくとも床被覆材を再び床から除去することは、状況によっては可能であるが、それでも、残留物を残さずに対応する感圧接着テープまたはフィルムを除去することは可能ではない。
【０００６】
５００ｇ／ｍ２を上回る重さの床被覆材を用いる場合には、特にこれを接着する際にさらなる問題が生じる。すなわち、温度条件および湿度条件の変化の下で、これにより引き起こされる寸法の変化への傾向によって、このような床被覆材は相対的に高い膨張力および収縮力をもたらす。従って信頼性の高い接着には、高い接着力を有する適当な感圧接着テープまたはフィルムが必要である。一方で、残留物のない剥離性が損なわれてはならない。
【０００７】
この発明の目的は、床被覆材、特にカーペットを、床または階段に接着するための感圧接着フィルムを提供することである。この感圧接着フィルムは先行技術の不都合を克服し、信頼性の高い接着を提供し、取扱いおよび除去が容易であり、特に、少なくとも床または階段からの、残留物がない剥離性を提供するものである。
【０００８】
この発明に従い、この目的は請求項１に記載の感圧接着フィルムにより達成される。この発明のさらなる好ましい形態が従属項で規定される。
【０００９】
この発明に従う感圧接着フィルムは、５００ｇ／ｍ２を上回る重さの床被覆材、特にカーペットを床または階段に接着するのに用いられる。床は寄せ木張り、テラゾ、石、石灰、カーペットなどであり得る。感圧接着フィルムはプラスチックフィルムの支持体を有し、これは床被覆材に面する上面および床に面する下面を感圧接着コーティングによりコーティングされる。この発明に従う感圧接着フィルムは、その最小幅が１５０ｍｍであり、床または階段を大きな面積にわたって床被覆材で覆うために開発され、支持体は少なくともその下面において感圧接着手段により固定されるため、感圧接着フィルムの剥離時に感圧接着コーティングは支持体の下面に残る。
【００１０】
この発明に従う、最小幅が１５０ｍｍである感圧接着フィルムの構成によって、空間的に制限された条件下でも、大きな面積を覆う際に特に柔軟、簡単および高い信頼性で、この発明の感圧接着フィルムを取扱うことができる。
【００１１】
この発明に従うと、この発明の感圧接着フィルムを除去する際、上面の感圧接着コーティングは支持体上に残るため、残留物のない剥離が可能となることが特に好ましい。
【００１２】
たとえば、見本市建築物で展示台を解体した後に床被覆材を再び用いる場合、床または階段、および床被覆材から、感圧接着フィルムを残留物なしに剥離できることが特に有利である。
【００１３】
あらゆる条件下で支持体上に感圧接着コーティングを確実に固定できるように、好ましくは少なくともプラスチックフィルムの下面はコロナ放電処理を受けることがある。この表面にはさらに下塗りが与えられ得る。さらに、好適な下塗りは遅延層（下記参照）としても機能し、これは添加剤および／または可塑剤の通過を防ぐ。一般に、少なくとも１表面の感圧接着コーティングと下塗りとを混ぜ合わせることも可能である。
【００１４】
この発明に従うと、感圧接着フィルムの少なくとも下面は、感圧接着性接着剤を固定するための同時押出し成形された粘着促進剤を有し得る。
【００１５】
好ましい実施形態に従うと、感圧接着性接着剤を固定する支持体の表面は層として構成されることがあり、および／または支持体はそれ自体が感圧接着性接着剤を固定する材料からなることもある。
【００１６】
一般に、感圧接着フィルムの少なくとも下面にあるこの発明の感圧接着性接着剤固定構造の上述の可能性の各々をそれ自体で実現することも、またはこれらのうち２つ以上を互いに組合わせることも可能であり、さらに、感圧接着フィルムを床または階段からだけでなく床被覆材からも、残留物なしに剥離できることが必要な場合には、少なくとも上面での感圧接着性接着剤固定構造もまた可能である。
【００１７】
支持体はさらに、添加剤および／または可塑剤の通過を遅らせる層として少なくとも１区域を有するように構成され得る。さらにこの発明の特に好ましい形態に従うと、この遅延層は本質的に感圧接着性接着剤固定表面であり得る。一般に添加剤および／または可塑剤は、感圧接着フィルム自体の感圧接着性接着剤から由来することも、または用いられているＰＶＣなどの床および／または床被覆材から由来することもある。
【００１８】
遅延層としての少なくとも１区域を有する支持体を構成することにより、このような添加剤および／または可塑剤のマイグレーションおよび／または浸透を避け、こうして元からあった感圧接着コーティングの特性に否定的な変化は起こらないであろう。こうして、この発明の感圧接着フィルムは長期間にわたり所望の接着力を確実に維持し、さらに剥離性、特に残留物のない剥離性が、感圧接着フィルムの個々の層での変化によって失われることは確実になくなる。
【００１９】
さらに、支持体の少なくとも下面を平らに構成することが有利である。さらに、少なくとも下面で感圧接着コーティングを本質的に平らに構成することが有利である。支持体および／または感圧接着コーティングの少なくとも下面を本質的に平らに構成することにより、この発明の感圧接着フィルムを特に高い信頼性で接着することが確実に可能となり、ここで、平らでないことの結果として点状のより強い接着により起こる付着中心を避けることによって、二次元的な固定が達成される。これはこの発明の感圧接着フィルムの取扱いを向上させ、床および階段ならびに／または床被覆材からこの発明の感圧接着フィルムを、本質的に残留物なしに剥離できることに寄与する。
【００２０】
この発明の感圧接着フィルムを用いて、床被覆材の特に信頼性および耐久性のある接着と、同時に残留物がない床からの剥離性とを達成するために、感圧接着コーティングの下面が感圧接着コーティングの上面よりも少ない接着強さを有することがさらに好ましい。この目的のためには、２表面の各々に対し異なった感圧接着性接着剤を用いることも、または同じ感圧接着剤を用いることもできる。
【００２１】
この発明の好ましい形態では、感圧接着コーティングの２表面の接着強さまたは接着力が異なることは、異なった重さの接着剤を塗布することでもたらされ、より大きな接着強さを有する表面はより多くの接着剤を有する。
【００２２】
少なくとも上面に塗布される接着剤の重さが５〜２５０ｇ／ｍ２の範囲であり、特に、少なくとも下面で５〜４０ｇ／ｍ２の範囲、特に８〜２０ｇ／ｍ２の範囲である形態が特に好ましい。
【００２３】
感圧接着性接着剤としては、たとえば樹脂ならびにこれに含まれる紫外線保護剤および老化保護剤により強化されたアクリレートベースのディスパージョンが適していると証明された。しかしながら、好適な感圧接着性ディスパージョン接着剤であって、特に水蒸気にも拡散可能なものであれば、どの接着剤を用いてもよい。好ましくは、感圧接着コーティングは表面全体にわたって延在する。しかしこれを区域ごとに塗布してもよい。
【００２４】
床被覆材および床と接触し、或る期間にわたって可能な限り一定な接着力を有する感圧接着性接着剤を選択することが好ましい。
【００２５】
少なくとも上面の感圧接着コーティングに好適な感圧接着剤は、可塑剤に対して耐性があり得る。
【００２６】
少なくとも下面に好適である剥離可能な感圧接着性接着剤は、１以上のＧ′／Ｇ″比を有する。Ｇ′は好ましくは８０００Ｐａから１５００００Ｐａの範囲であり、Ｇ″は好ましくは４０００Ｐａから３００００Ｐａの範囲である。
【００２７】
この発明に従うと、用いられる感圧接着コーティングまたは感圧接着剤と支持体との好適な選択により、少なくとも床から、さらに状況によっては床被覆材から、この発明の感圧接着フィルムをいつでも残留物なしに剥離することが確実に可能となる。
【００２８】
接着力の異なった感圧接着性接着剤が表面上に塗布され得るため、塗布される接着剤の重さだけでなく、用いられる感圧接着剤の接着力の異なりもまた、接着強さが異なる原因となる。
【００２９】
感圧接着コーティングの接着強さまたは接着力を測定する一般的な方法として、ＤＩＮ１９３９に従う剥離力測定を用いることができる。この目的のために、調査すべき特定の接着力および特定の塗布量を有する感圧接着コーティングを備えた感圧接着フィルムを剥がすのに必要な力が測定される。試験基準に従うと、感圧接着フィルムの幅は２５ｍｍであり、感圧接着フィルムは鋼の表面に接着される。
【００３０】
好ましくは、ＤＩＮ１９３９に従い測定される少なくとも下面の感圧接着コーティングの剥離力は０．５〜５Ｎの範囲である。好ましくは１．５〜３Ｎ、特に２．０〜２．６Ｎの範囲である。
【００３１】
既に述べたように、２表面の各々に対し、異なった接着力を有するなど異なった感圧接着剤を用いることも、または同じ感圧接着性接着剤を用いることもできる。
【００３２】
この発明の好ましい形態に従うと、感圧接着フィルムの支持体および感圧接着コーティングは水蒸気に対し透過性があるよう構成され、ｓｄ値は０．２ｍから１５ｍの範囲であり、特に０．５ｍから７ｍの範囲である。ｓｄ値は水蒸気の等価の拡散を有する気層の厚みをメートルで示す。水蒸気透過性のｓｄ値は、リシー（Ｌｙｓｓｙ）博士のＡＳＴＭＥ３９８法で測定される。
【００３３】
この発明の感圧接着フィルムの好ましい水蒸気透過性の構成により、特に新しく敷いたばかりの寄せ木張りの場合、または最近塗ったばかりでまだ完全に乾燥していないかもしれないセメント床に床被覆材を敷く際に、この発明の感圧接着フィルムの支持体と床との間に、床から立ちのぼる残留水分すなわち水蒸気が蓄積するのを防ぎ、こうして用いる感圧接着コーティングの接着特性が悪影響を受けないようにすることができる。特に接着力の減少、および起こり得る剥離性の劣化を避けることができる。さらに、感圧接着フィルムの適当な構成により、床被覆材を接着した際、置かれることがある寄せ木張りに水蒸気の蓄積でカビが生えたり、これが柔らかくなったりすることがなくなるであろう。
【００３４】
支持体および／または少なくとも１表面の感圧接着コーティングを穿孔することにより、支持体および感圧接着コーティングの水蒸気透過性を達成することが有利であろう。こうして感圧接着フィルムの水蒸気透過性を簡単なやり方で達成できる。しかしながら、感圧接着フィルムが単に区域ごとに予め製作され、感圧接着フィルムの特定の区域が、適当に延在する穿孔に沿って、残る感圧接着フィルムから手で切断可能であるように、この発明の穿孔を理解すべきではない。
【００３５】
支持体および／または少なくとも１表面の感圧接着コーティングには、面全体にわたって配置した穿孔を与えることが特に好ましい。これにより、特にこの発明の感圧接着フィルムを大きな表面にわたって用いる場合に、可能な限り最良の水蒸気透過性が得られる。
【００３６】
少なくとも１表面の感圧接着コーティングおよび支持体にある穿孔が互いに整列することで、床から立ちのぼるいかなる水蒸気も直接通過できることが特に有利である。
【００３７】
好ましくは、穿孔は互いに対し好ましくは１０ｃｍ未満の距離にあり、ここで孔は好ましくは４ｍｍ２未満の断面積を有する。
【００３８】
当然のことながら、たとえば少なくとも一方の表面で穿孔された感圧接着コーティングを有する、穿孔された支持体を、他方の表面上の穿孔されていない透過性のある感圧接着コーティングと組合わせることが、この発明の範囲内で可能である。これに従い支持体は、たとえば上面または下面上にのみ、穿孔された感圧接着コーティングを与えられ、他方の表面上には穿孔されていない透過性感圧接着コーティングを有し得る。しかし支持体（穿孔されているもの、またはされていないもの）には、上面および下面で、穿孔されていないまたは穿孔された感圧接着コーティングを与えることができ、穿孔された場合穿孔は互いに整列され得る。好ましくは、少なくとも１表面の感圧接着コーティングは、水蒸気が拡散できる感圧接着性接着剤からなり得る。しかしながら両方の表面とも、水蒸気が拡散できる感圧接着性接着剤からなる、穿孔されたまたは穿孔されていない感圧接着コーティングを有し得る。
【００３９】
既に述べたように、支持体が少なくとも下面で本質的に平らに構成されることが有利である。これにより、この発明の有利な形態に従うと、穿孔がある場合には支持体および／または少なくとも下面の感圧接着コーティングは、少なくとも穿孔間では平らに構成され得る。これは「本質的に平ら」という表現で表わされることを意図している。
【００４０】
下から、すなわち床に面する下面の側から感圧接着フィルムに穿孔を開けることで、感圧接着フィルムの特に好ましい形態がもたらされる。
【００４１】
こうして、この発明の感圧接着フィルムの少なくとも支持体の下面、および少なくとも下面の感圧接着コーティングは、確実に本質的に平らに構成されるが、それは、このように孔を開けたことにより、支持体の穿孔のバリが下面から離れて上方向に向けられるからである。さらに、少なくとも下面にある感圧接着コーティングは実質的にこれを平らにする。
【００４２】
好ましい形態におけるこの発明の感圧接着フィルムは、少なくとも床被覆材に面する上面で織物／不織布または繊維構造を有し、これは、敷いたりまたは剥離したりする間、感圧接着フィルムの寸法安定性を維持するのに役立つ。織物はまた、床に面する下面、または両方の表面に配置することができる。織物は好適な耐裂性の材料の糸により形成される。
【００４３】
配置は、本質的に粗いどのようなメッシュ構成をとってもよい。特に、互いに対し直角に配置され、それぞれの方向で互いに平行な糸が好ましい。糸は、それぞれの方向で感圧接着フィルムの側部端縁と平行に整列されても、またはこれら端縁と任意の角度を形成してもよい。
【００４４】
繊維構造が、粗いメッシュ構造の平行な糸と、鈍角でダイヤモンド形に配置された糸とを有する形態が特に好ましい。
【００４５】
繊維構造の糸間の距離は３ｍｍから３０ｍｍまでであるのが特に好ましい。
繊維構造は不織布の材料であっても、または網状の紡績構造物であってもよく、ここで糸は紡ぎ合わされた細い個別の糸からなる。繊維構造の糸は支持体の少なくとも上面にあり、感圧接着コーティング内に埋め込まれてこれに本質的に取囲まれ、こうして感圧接着フィルムの対応する表面もまた本質的に平らに構成される。粗いメッシュの繊維構造により、感圧接着フィルムの寸法安定性が確実なものとなり、対応する表面の本質的に平らな構成が本質的に保持される。これにより信頼性の高い剥離が助長されるが、それは感圧接着フィルムが剥離中に寸法安定性を維持するからである。
【００４６】
特に好適な平行およびダイヤモンド形の糸構成のため、傾斜した方向、すなわちダイヤモンド形の態様で配置された糸の方向での、追加的な寸法安定性が得られる。この追加的な安定性は、感圧接着フィルムを（端縁と平行に配置された糸に対し）或る角度で引き剥がす際に特に有利であり、感圧接着フィルムを残留物なしに剥離するための信頼性を増加させる。
【００４７】
この発明の感圧接着フィルムの取扱いを向上させるために、感圧接着フィルムは少なくとも上面でその感圧接着コーティング上に除去可能な被覆フィルムを有する。これはたとえばシリコーン紙または異なった好適な材料からなり得る。
【００４８】
これに追加して、または下面にのみ、除去可能な被覆フィルムがあり得る。これは下面の接着強さが上面の接着強さよりも小さい場合には必須ではない。
【００４９】
剥離可能な接着性の被覆フィルムは、対応する上面と実質的に隙間なしに接触する。
【００５０】
感圧接着フィルムはロールの形で持ち運ばれ得る。この目的のため感圧接着フィルムはロールへと巻き取られる。一般に、感圧接着フィルムはロールから所望の長さだけ巻き戻され得る。感圧接着フィルムは、特定の幅、さらに特定の長さおよび／または形状で予め製作され得る。
【００５１】
可能な限り最良の接着結果を達成するために、床被覆材で覆うことになる床または階段の大きな面積を感圧接着フィルムが覆うように、感圧接着フィルムを形成することが特に有利である。
【００５２】
これに関連して、感圧接着フィルムの幅は１５０ｍｍから２０００ｍｍの範囲であり、特に５００ｍｍから１５００ｍｍの範囲、特に６００ｍｍから１０００ｍｍの範囲であることが特に有利である。階段の場合には２４０ｍｍの幅の感圧接着フィルム、床の場合には少なくとも３５０ｍｍの幅の感圧接着フィルムが特に好ましい。
【００５３】
これに関連して、感圧接着フィルムがロールへと巻き取られる場合には、幅はロールの巻き戻し幅（ロール幅）となるよう規定される。
【００５４】
好適な幅の感圧接着フィルムを選択することにより、特に感圧接着フィルムで接着すべき床を大きな面積にわたり覆うことが達成でき、こうして特に簡単で信頼できる接着を可能にすることができる。感圧接着フィルムを階段に用いる際には、感圧接着フィルムが、２片での通常の寸法で、階段の踏み板および蹴り込み板を大部分または完全に覆うことができるように、これに好適な２４０ｍｍの幅が選択される。各々の場合に好適なサイズに切った感圧接着フィルム片を階段の踏み板および蹴り込み板に適用することができ、そのそれぞれの端は階段の端の領域で出会う、または僅かに重なることにより、隙間のない接着表面を形成する。より小さい幅の感圧接着フィルムを選択する場合でも、感圧接着フィルムにより表面を大部分または完全に覆うことは達成可能である。しかしこのような場合には、好適なサイズに切った感圧接着フィルム２片以上が必要となる。次に３片以上を好適な寸法に切って、たとえば階段の端にも置くことができる。
【００５５】
床被覆材を接着する際には、この発明の感圧接着フィルムを以下のやり方で用いることが好ましい。
【００５６】
床の全体は、感圧接着フィルムで可能な限り隙間なく覆われる。これを行なうために、好ましくは接着強さがより小さい下面を床の方向に向ける。上面は被覆フィルムで覆われることが好ましい。次に床被覆材を一時的に敷き、任意に裁断する。この後、床被覆材の一部を折り畳み、感圧接着フィルムのこの部分にある被覆フィルムを除去する。床被覆材の折り畳まれた部分を、好ましくはより大きい接着強さを有する上面へもう一度折り畳み、任意に押圧する。床被覆材全体を床に接着するまで、床被覆材の残りの部分について同じ手順を行なう。
【００５７】
床から床被覆材を残留物なしに好ましく剥離するためには、床被覆材を床から上方向に引くだけでよい。この際、感圧接着フィルムは床から離れ、好ましくは床被覆材に付着し続ける。同時に下面の感圧接着コーティングは支持体にとどまる。これに加え、この発明の感圧接着フィルムを床被覆材から剥離できかつ上面の感圧接着コーティングが支持体に残るように、この発明の感圧接着フィルムを構成することもまた可能である。従って、たとえば見本市で床被覆材を用いる際にはこれを再び用いることができ、さらにその扱いやすさはその下側にあり得る接着剤残留物によって制限されない。
【００５８】
支持体の材料としては、プラスチックフィルム、特にポリプロピレンまたはポリエチレンのプラスチックフィルムが用いられる。支持体が好ましくは水蒸気に対し透過性があるべき場合には、これはたとえばポリアミドフィルムからなることができる。
【００５９】
この発明の感圧接着フィルムの良好な取扱いを、特にこれが穿孔される際にも可能とするために、支持体は１０〜１００μｍの範囲、好ましくは２５〜７５μｍ、特に５０〜７０μｍの範囲の厚みを有する。
【国際公開パンフレット】
2004507574.tif 000002
2004507574.tif 000003
2004507574.tif 000004
2004507574.tif 000005
2004507574.tif 000006
2004507574.tif 000007
2004507574.tif 000008
2004507574.tif 000009
2004507574.tif 000010
2004507574.tif 000011
2004507574.tif 000012
2004507574.tif 000013
2004507574.tif 000014
2004507574.tif 000015
2004507574.tif 000016
2004507574.tif 000017
2004507574.tif 000018
2004507574.tif 000019
2004507574.tif 000020
2004507574.tif 000021
2004507574.tif 000022
【国際調査報告】
2004507574.tif 000023
2004507574.tif 000024
2004507574.tif 000025
2004507574.tif 000026
2004507574.tif 000027
2004507574.tif 000028